(57)【要約】　　　（修正有）【課題】眼鏡の電磁波を阻隔または、遮蔽する。【解決手段】ノーズパッド１２および耳あて１４の適切な位置へ孔１５をそれぞれ設け、各具有する孔１５へ高磁性の金属体のチップ２を埋め込み、該各孔１５を閉じ、チップ２本体へ電磁波を吸着させる。また別に、両ノーズパッド１２及び両耳あて１４内のチップ２周囲の隙間に磁場を形成し、それにより電磁波を阻隔する。【選択図】　　図４
0003097606.tif 000002
【実用新案登録請求の範囲】
【請求項１】
一種の抗電磁波眼鏡に係わり、ノーズパッドおよび耳あての適切な位置へ孔を設け、高磁性の金属体のチップをうめこみ、該孔は閉じ、
チップ本体が電磁波を吸着し、
両ノーズパッドおよび両耳あて内のチップはその周りに磁場を形成することを特徴とする抗電磁波眼鏡。
【請求項２】
前記チップは永久磁石粉を焼結することを特徴とする請求項１記載の抗電磁波眼鏡。
【請求項３】
前記チップは遠赤外線のセラミック粉末を焼結したものを含むことを特徴とする請求項２記載の抗電磁波眼鏡。
【請求項４】
前記チップはコイル或いは回路を具有し、データーの保存をすることを特徴とする請求項１記載の抗電磁波眼鏡。
【請求項５】
前記チップのマイナス極を人体に向けることを特徴とする請求項１記載の抗電磁波眼鏡。
【請求項６】
前記チップは微処理反応型チップを設けることを特徴とする請求項１記載の抗電磁波眼鏡。
【請求項７】
表面取り付け技術により、発光ダイオードを耳あて内のチップ表面へ固定することを特徴とする請求項１記載の抗電磁波眼鏡。
【考案の詳細な説明】
【０００１】
【考案の属する技術分野】
本案は一種の抗電磁波眼鏡に係わり、より詳しくは、眼鏡のノーズパッド及び耳あてに高磁性の金属チップを埋め込み、チップの金属材質へ電磁波を吸着させ、また別に、チップの形成する磁場が電磁波を阻隔する抗電磁波眼鏡に係わる。
【０００２】
【従来の技術】
眼鏡は通常近視、老眼、乱視などの視覚矯正、または紫外線などの有害光線からの目を守るために用いる。一般的に眼鏡の設計はそのほとんどが部品の組合せにより構成し、眼鏡の構造は両フレームの内側へ相対するノーズパッドを設け、外側には各後方へ延びるテンプルがあり、その端に両耳あてが弧状に設けられ、眼鏡をかけるとき４点の形成する定位により、耳、鼻がそれぞれ眼鏡を支える。よって、眼鏡からノーズパッド及び耳あては、はずすことの出来ない必要な部品である。
また、携帯電話を使用するとき、耳部で信号を受信し、口部で信号を発信する。この種の信号は電磁波が発生し、医学上の実験においても、電磁波は人体に悪影響を与え、医療業界などから抗電磁波が叫ばれている。
公知の電磁波を除去する方法として、大きく分けると二種類の方法があり、一つは接地により、もう一つは阻却又は遮蔽により電磁波を除去する方法である。公知の遮蔽方式による電磁波の除去は、携帯電話を金属が組み込まれるカバーへ入れ、電磁波はカバーを突き抜けることができないので電磁波を遮蔽する効果を形成する。
また、公知の阻却方法は携帯電話の機体へ遠赤外線セラミック粉末を焼結したセラミック体を貼り付け、遠赤外線の波長を利用して電磁波を阻却する。
公知の阻却または遮蔽方式は携帯電話本体に対してであるため、その送受信機能を低める。また、その他の電磁波の出所としては、コンピューターのモニターから産出される電磁波があり、抑止することは難しい。
【０００３】
【考案が解決しようとする課題】
上記公知構造の欠点を解決するため、電磁波が人体に与える悪い影響を考え、電磁波を阻隔または、遮蔽する方法を改善する抗電磁波眼鏡の提供を課題とする。
【０００４】
【課題を解決するための手段】
上記課題を解決するため、本考案は下記の抗電磁波眼鏡を提供する。一種の抗電磁波眼鏡に関し、ノーズパッドおよび耳あての適切な位置へ孔をそれぞれ設け、各具有する孔へ高磁性の金属体のチップを埋め込み、該各孔を閉じ、チップ本体へ電磁波を吸着させる。
また別に、両ノーズパッドおよび両耳あて内のチップ周囲の隙間に磁場を形成し、それにより電磁波を阻隔する。
すなわち、本考案の抗電磁波眼鏡は、以下の特徴を有する。
１．ノーズパッドおよび耳あての適切な位置へ孔を設け、高磁性の金属体のチップをうめこみ、該孔は閉じ、
チップ本体が電磁波を吸着し、
両ノーズパッドおよび両耳あて内のチップはその周りに磁場を形成することを特徴とする。
２．前記チップは永久磁石粉を焼結することを特徴とする。
３．前記チップは遠赤外線のセラミック粉末を焼結したものを含むことを特徴とする。
４．前記チップはコイル或いは回路を具有し、データーの保存をすることを特徴とする。
５．前記チップのマイナス極を人体に向けることを特徴とする。
６．前記チップは微処理反応型チップを設けることを特徴とする。
７．表面取り付け技術（ＳＭＴ）により発光ダイオード（ＬＥＤ）を耳あて内のチップ表面へ固定することを特徴とする。
【０００５】
【考案の実施の形態】
図１、２、３に示すように、眼鏡１及び複数のチップ２の組合せから成る。
その中眼鏡１は公知のものに係し、また眼鏡フレーム１１内側に相対するノーズパッド１２を設け、外側はそれぞれ後方へ延びるテンプル１３を設け、またテンプル１３の端へそれぞれ耳あて１４を設ける。
本案と公知の異なるところは、ノーズパッド１２と耳あて１４にそれぞれチップ２を埋め込み、すなわち抗電磁波の効果となるところである。チップ２の埋め込み場所としては、該ノーズパッド１２と耳あて１４の適切な位置へ孔１５を設け、チップ２を定位へ設置する。
チップ２は高磁性の金属体に係し、前記の各ノーズパッド１２、耳あて１４の孔１５内へ嵌合し、公知の孔を閉じる手順により、例えばのり状の物で、該孔１５を閉じ、チップ２はノーズパッド１２または耳あて１４へ固定する。
該チップ２は永久磁石粉末を焼結したものであり、高磁性の効果を具える。
また、別に遠赤外線の効果を増加させるため、製造時に遠赤外線セラミック粉末を加入し混合し、焼結することにより一体となり、チップ２本体は高磁性及び遠赤外線効果を具有する。
【０００６】
本案の抗電磁波の原理は下記のとおりである。
本案のノーズパッド１２と耳あて１４の孔１５内にチップ２を埋め込んだ後、磁場効果を増加するために、マイナス極を人体の鼻、耳と接触する側へ向け、磁場空間を構成する。電磁波は磁場で跳ね返り、電磁波の阻隔効果となる。
同時にチップ２は金属材質であり、電磁波を吸着する。電磁波の影響は減少し、最も低くなる。
もし、該チップ２が遠赤外線効果を具えると、抗電磁波の効果が増加する。
【０００７】
本案はＳＧＳ測定報告のＥＭ／２００２／８０１１２により、確実な抗電磁波効果を具有する。前記の実験により本案は確実に頭部周囲の電磁波の影響を減少することを証明し、人体への悪影響による予期せぬ病を防止する。
【０００８】
この他に、本案のチップ２の表面へコイルまたは回路２１を設け、個人または製造所の資料の保存をし、またスキャナーでスキャニング後、即資料を読み取り、身分識別または製造に相関する資料を判読する。
また、本案のチップ２は高磁性及び遠赤外線を具えると、若干の治療効果、例えば、遠赤外線による微温効果、鼻詰まり又は頭痛にも効果があり、血液循環を良くし、磁性作用によるマッサージ効果により筋肉をほぐし、使用者の予防及び健康効果を具有するものとする。
【０００９】
またチップ２は微処理反応型チップ（ｍｉｃｒｏｐｒｏｃｅｓｓｏｒ　ｒｅａｃｔｉｖｅ　ｃｈｉｐ）を設け、小型化有機化学反応、生物化学反応、酵素反応の効果を具有し、人体の生理的変化である例えば体温、高血圧、糖尿病などの測定又は、特別な訴求を警戒する。
同時に表面取り付け技術（Ｓｕｒｆａｃｅ　Ｍｏｕｎｔ　Ｔｅｃｈｎｏｌｏｇｙ）により、発光ダイオード（Ｌｉｇｈｔ　ｅｍｉｔｔｉｎｇ　ｄｉｏｄｅ、略してＬＥＤ）を耳あて１４のチップ２表面へ固定し、電磁波の信号を接収すると光をはなつ警告サインの作用を具有する。
【００１０】
また、ノーズパッド１２及び耳あて１４へ電気石を埋め込み、又は遠赤外線の粉末を混入後、マイナスイオン効果も具有する。
よって電磁波を阻隔及び吸着するチップはそれぞれ眼鏡のノーズパッド及び耳あてへ設け、随時電磁波を減少し、電気製品への影響も無く、例えば携帯電話の送受信の効果などに影響が無い。
【００１１】
【考案の効果】
上記のように本考案は一種の抗電磁波眼鏡に関し、ノーズパッドおよび耳あての適切な位置へ孔をそれぞれ設け、それぞれが具有する孔へ高磁性の金属体のチップを埋め込み、該それぞれの孔を閉じ、チップ本体に電磁波を吸着させる。
また、２つのノーズパッドおよび２つの耳あて内のチップ周囲の隙間に磁場を形成し、それにより電磁波を阻隔する。
【図面の簡単な説明】
【図１】本考案の立体分解図である。
【図２】本考案のノーズパッドとチップの結合指示図である。
【図３】本考案の耳あてとチップの結合指示図である。
【図４】本考案の組み立て後の立体図である。
【符号の説明】
１　　　眼鏡
１１　　フレーム
１２　　ノーズパッド
１３　　テンプル
１４　　耳あて
１５　　孔
２　　　チップ
２１　　コイル或いは回路
【図１】
0003097606.tif 000003
【図２】
0003097606.tif 000004
【図３】
0003097606.tif 000005
【図４】
0003097606.tif 000006